(57)【要約】【課題】低消費電力動作状態にある制御部からの制御を受けることなく電池残量を測定でき、低消費電力化を図ることができる。【解決手段】電池残量測定部１５ａは電源部１０を介して電池９の出力端に接続される。表示装置１１ａの電池残量測定部１５ａは、予め設定された時間Ｔの間隔で起動し、電池残量測定部１５ａの動作がオン状態の時間ｔの間で電池９の残量を測定する。電池残量測定部１５ａは、最初に電池９の出力電圧を測定し、次に、内蔵している、出力電圧と電池残量との対応関係を示す出力電圧・残量変換テーブルに基づいて上記の測定された出力電圧に該当する電池残量を取得する。そして、表示制御部１３ａは電池残量の測定値を表示情報として表示用記憶部１４ａに記憶し、必要があれば表示部１２に表示する。【選択図】      図１
2005244492.tif 000002
【特許請求の範囲】
【請求項１】
内蔵する各部を制御する制御手段及び前記制御手段から独立して電池の残量を測定する電池残量測定手段を備え、前記電池残量測定手段は前記制御手段から制御を受けずに前記電池の残量の測定を行うことを特徴とする携帯電話機。
【請求項２】
内蔵する制御手段により低消費電力動作状態への切替え制御が行われる携帯電話機において、電池の残量を測定する電池残量測定手段を備え、前記電池残量測定手段は前記低消費電力動作状態の状態にある前記制御手段から制御を受けずに前記電池の残量の測定を行うことを特徴とする携帯電話機。
【請求項３】
内蔵する制御手段により待ち受け状態で低消費電力動作状態への切替え制御が行われる携帯電話機において、電池の残量を測定する電池残量測定手段を備え、前記電池残量測定手段は前記低消費電力動作状態にある前記制御手段から制御を受けずに前記電池の残量の測定を行うことを特徴とする携帯電話機。
【請求項４】
請求項１，２又は３記載の携帯電話機において、前記電池の残量を表示するための表示装置を備え、前記表示装置が前記電池残量測定手段と、前記電池の残量を表示する表示手段とを有することを特徴とする携帯電話機。
【請求項５】
請求項４記載の携帯電話機において、前記電池残量測定手段は前記表示装置に供給される電源を使用して動作することを特徴とする携帯電話機。
【請求項６】
請求項４又は５記載の携帯電話機において、前記表示装置は前記制御手段による前記低消費電力動作状態への切替え制御の対象とはならないことを特徴とする携帯電話機。
【請求項７】
請求項４，５又は６記載の携帯電話機において、前記表示装置は、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備えたことを特徴とする携帯電話機。
【請求項８】
請求項４，５，６又は７記載の携帯電話機において、前記電池から電力を供給されて携帯電話機を構成する前記各手段に必要な電源を供給する電源部を備え、前記表示装置は、前記電源部から電源の供給を受けるとともに、前記電源部を介して前記電池の電源の供給を受けて、前記電池の残量を測定の対象とする前記電池残量測定手段に供給することを特徴とする携帯電話機。
【請求項９】
請求項８記載の携帯電話機において、前記電池残量測定手段は前記電源部からの電源の供給を受けて起動し、前記電池の残量の測定を行うことを特徴とする携帯電話機。
【請求項１０】
請求項９記載の携帯電話機において、前記電池残量測定手段は前記電源部からの電源の供給を受けて起動してから、予め設定された時間に前記電池の残量の測定を行うことを特徴とする携帯電話機。
【請求項１１】
請求項１０記載の携帯電話機において、前記予め設定された時間を設定入力するための操作手段を備えることを特徴とする携帯電話機。
【請求項１２】
請求項４，５，６，７，８，９，１０又は１１記載の携帯電話機において、前記電池の残量を前記表示手段に表示するか否かを示す残量表示有無設定情報を予め設定しておくための操作手段を備えることを特徴とする携帯電話機。
【請求項１３】
請求項４，５，６，７，８，９，１０，１１又は１２記載の携帯電話機において、前記電池の残量のレベルを示すメッセージを予め設定しておくための操作手段を備えることを特徴とする携帯電話機。
【請求項１４】
内蔵する各部を制御する制御手段を備えた携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備え、前記電池残量測定手段は前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第４の手順、
（Ｅ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第５の手順、
を実行することを特徴とする携帯電話機。
【請求項１５】
内蔵する各部を制御する制御手段を備えた携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備え、前記電池残量測定手段は前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量を制御手段へ通知する設定になっているか否かを判定し、前記電池の残量を制御手段へ通知する設定になっている場合、さらに前記電池の残量が制御手段へ通知すべきレベルまで低下しているか否かを判定し、前記電池の残量が制御手段へ通知すべきレベルまで低下している場合、前記電池の残量を制御手段へ通知する第４の手順、
（Ｅ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第５の手順、
（Ｆ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第６の手順、
を実行することを特徴とする携帯電話機。
【請求項１６】
内蔵する制御手段により低消費電力動作状態への切替え制御が行われる携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを有する表示装置を備え、前記表示装置は前記制御手段により前記低消費電力動作状態への切替え制御が行われる際にも前記制御手段から動作状態を前記低消費電力動作状態に制御されることがなく、かつ前記電池残量測定手段は前記低消費電力動作状態の状態にある前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第４の手順、
（Ｅ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第５の手順、
を実行することを特徴とする携帯電話機。
【請求項１７】
内蔵する制御手段により低消費電力動作状態への切替え制御が行われる携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを有する表示装置を備え、前記表示装置は前記制御手段により前記低消費電力動作状態への切替え制御が行われる際にも前記制御手段から動作状態を前記低消費電力動作状態に制御されることがなく、かつ前記電池残量測定手段は前記低消費電力動作状態の状態にある前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量を制御手段へ通知する設定になっているか否かを判定し、前記電池の残量を制御手段へ通知する設定になっている場合、さらに前記電池の残量が制御手段へ通知すべきレベルまで低下しているか否かを判定し、前記電池の残量が制御手段へ通知すべきレベルまで低下している場合、前記電池の残量を制御手段へ通知する第４の手順、
（Ｅ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第５の手順、
（Ｆ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第６の手順、
を実行することを特徴とする携帯電話機。
【請求項１８】
内蔵する各部を制御する制御手段及び電池の残量を測定する電池残量測定手段を備え、前記電池残量測定手段は前記制御手段から制御を受けずに前記電池の残量の測定を行うことを特徴とする電子機器。
【請求項１９】
内蔵する制御手段により低消費電力動作状態への切替え制御が行われる電子機器において、電池の残量を測定する電池残量測定手段を備え、前記低消費電力動作状態であっても前記電池残量測定手段は前記低消費電力動作状態の状態にある前記制御手段から制御を受けずに前記電池の残量の測定を行うことを特徴とする電子機器。
【発明の詳細な説明】
【技術分野】
【０００１】
本発明は携帯電話機に関し、特に、電池の残量を測定する手段を有する携帯電話機に関する。
【背景技術】
【０００２】
従来の携帯電話機は、特開２００２−２１７８２０号公報にも記載されているように、一般的には内部に二次電池（以下、単に電池という）を備えている。携帯電話機はこの電池の電力を使用して通信動作を含む各種動作を行っている。電池の残りの容量を示す電池の残量（以下、電池残量という）が少なくなると携帯電話機の回路が誤動作するので、携帯電話機のユーザは電池残量が少なくなってくると電池の充電を行うようにして携帯電話機を使用している。このため、電池の電圧を検出しその検出結果に基づいて電池残量についての情報を携帯電話機のユーザに知らせる機能が携帯電話機には設けられている。このような電池残量判定技術は特開２００３−３１２６９号公報にも開示されている。
【０００３】
次に、上述した従来の電池残量判定技術に基づく電池残量判定機能を備えた携帯電話機の一例として、図８に示す構成の携帯電話機の場合について説明する。
【０００４】
図８に示す携帯電話機はその主要部として、無線通信手段である無線部２、携帯電話機の各部を制御する制御部１ｃ、各種情報を表示する表示装置１１ｃ及び各部に電源を供給する電源部１０を備えて構成される。
【０００５】
無線部２にはアンテナ３が接続される。制御部１ｃには、送話部４、受話部５、スピーカー６、操作部７、記憶装置８及び表示装置１１ｃが接続される。また、電源部１０を介して上記各部に電力を供給している電池９の残量を測定する電池残量測定部１５ｂを制御部１ｃは内蔵している。また、表示装置１１ｃは、各種情報を表示する表示部１２、表示部１２を制御する表示制御部１３ｃ、及び表示部１２に表示される、電池の残量測定に関する情報等を記憶する表示情報記憶部１４ａを備えている。
【０００６】
上記のように従来の携帯電話機においては、電池９の残量を測定する場合、制御部１ｃが内蔵している電池残量測定部１５ｂにより電源部１０が供給する電池９の出力電圧を測定する必要があった。しかし、電池残量測定部１５ｂを動作させて電池９の残量を確認する場合には、制御部１ｃを動作させることになるため、その都度、制御部１ｃが電力を消費しなければならなかった。
【０００７】
携帯電話機が待ち受けと呼ばれる動作状態に入ると、一般的に表示装置は表示をしているが、制御部を含む各部は、携帯電話機に必要な最低限の動作以外の動作を止めてしまうか、あるいは動作を遅くする低消費電力動作の状態になる。携帯電話機がこのような待ち受け状態にあって低消費電力動作を行う状態（以下、低消費電力動作状態という）にあるときに電池９の残量を確認する場合、制御部１ｃの動作により発生する電力消費が問題となっていた。
【０００８】
従って、待ち受け状態では、携帯電話機の動作状態等の表示を行わなければならない表示装置１１ｃを除く各部は、低消費電力動作状態になるように制御部１ｃに制御される。すなわち、制御部１ｃは自分自身も含めて、携帯電話機として最低限維持しなければならない動作以外の動作を止めてしまうか、あるいは動作を通常より遅くする状態に、表示装置１１ｃを除く各部を制御する。待ち受け時では、上記のように一般的には表示装置１１ｃは表示を行っているが、制御部を含む携帯電話機の各部分は上記のような低消費電力動作状態に入る。しかし、折角上記のような低消費電力動作状態に入っても、電池の電圧測定を行う毎に制御部１ｃが起動するとその分の電力を余計に消費してしまい、待ち受け動作での低消費電力の効果が低減してしまうことになる。
【０００９】
図９は図８に示す携帯電話機の電池９の電圧測定時の各部の動作状態を示す説明図である。図９は、上述したように、表示装置１１ｃが常時、動作状態にあることを示している。また、図９は、電池残量測定部１５ｂが時間Ｔの間隔で電池残量の測定を繰り返し、時間ｔの間に測定動作がオン（ＯＮ）状態になり、このときに、待ち受け状態で低消費電力動作状態にある制御部１ｃもオン状態になることを示している。なお、制御部１ｃ及び電池残量測定部１５ｂの動作のオフ状態を示す「ＯＦＦ」は、待ち受け状態で低消費電力動作状態であることを示している。
【００１０】
【特許文献１】特開２００２−２１７８２０号公報  （第２頁、図３）
【特許文献２】特開２００３−３１２６９号公報  （第２頁、図１）
【発明の開示】
【発明が解決しようとする課題】
【００１１】
上述したように、従来の携帯電話機では、待ち受けの動作状態で低消費電力動作状態にあるときに電池残量の測定を行うためには、制御部を通常の動作状態に復帰させなければならなかった。このために制御部に消費電力が発生してしまうという問題があった。
【００１２】
本発明の目的は、電池残量測定手段が制御部からの制御を受けることなく電池残量を測定でき、このため制御部の消費電力が発生することがなく低消費電力化を図ることができる携帯電話機を提供することにある。
【課題を解決するための手段】
【００１３】
第１の発明の携帯電話機は、電池の残量を測定する電池残量測定手段を備え、前記電池残量測定手段は前記制御手段から制御を受けずに前記電池の残量の測定を行うことを特徴として構成される。
【００１４】
また、第２の発明の携帯電話機は、内蔵する制御手段により低消費電力動作状態への切替え制御が行われる携帯電話機において、電池の残量を測定する電池残量測定手段を備え、前記電池残量測定手段は前記低消費電力動作状態の状態にある前記制御手段から制御を受けずに前記電池の残量の測定を行うことを特徴として構成される。
【００１５】
また、第３の発明の携帯電話機は、内蔵する制御手段により待ち受け状態で低消費電力動作状態への切替え制御が行われる携帯電話機において、電池の残量を測定する電池残量測定手段を備え、前記電池残量測定手段は前記低消費電力動作状態にある前記制御手段から制御を受けずに前記電池の残量の測定を行うことを特徴として構成される。
【００１６】
また、第４の発明の携帯電話機は、第１，第２又は第３の発明の携帯電話機において、前記電池の残量を表示するための表示装置を備え、前記表示装置が前記電池残量測定手段と、前記電池の残量を表示する表示手段とを有することを特徴として構成される。
【００１７】
また、第５の発明の携帯電話機は、第４の発明の携帯電話機において、前記電池残量測定手段は前記表示装置に供給される電源を使用して動作することを特徴として構成される。
【００１８】
また、第６の発明の携帯電話機は、第４又は第５の発明の携帯電話機において、前記表示装置は前記制御手段による前記低消費電力動作状態への切替え制御の対象とはならないことを特徴として構成される。
【００１９】
また、第７の発明の携帯電話機は、第４，第５又は第６の発明の携帯電話機において、前記表示装置は、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備えたことを特徴として構成される。
【００２０】
また、第８の発明の携帯電話機は、第４，第５，第６又は第７記載の携帯電話機において、前記電池から電力を供給されて携帯電話機を構成する前記各手段に必要な電源を供給する電源部を備え、前記表示装置は、前記電源部から電源の供給を受けるとともに、前記電源部を介して前記電池の電源の供給を受けて、前記電池の残量を測定の対象とする前記電池残量測定手段に供給することを特徴として構成される。
【００２１】
また、第９の発明の携帯電話機は、第８の発明の携帯電話機において、前記電池残量測定手段は前記電源部からの電源の供給を受けて起動し、前記電池の残量の測定を行うことを特徴として構成される。
【００２２】
また、第１０の発明の携帯電話機は、第９の発明の携帯電話機において、前記電池残量測定手段は前記電源部からの電源の供給を受けて起動してから、予め設定された時間に前記電池の残量の測定を行うことを特徴として構成される。
【００２３】
また、第１１の発明の携帯電話機は、第１０の発明の携帯電話機において、前記予め設定された時間を設定入力するための操作手段を備えることを特徴として構成される。
【００２４】
また、第１２の発明の携帯電話機は、第４，第５，第６，第７，第８，第９，第１０又は第１１の発明の携帯電話機において、前記電池の残量を前記表示手段に表示するか否かを示す残量表示有無設定情報を予め設定しておくための操作手段を備えることを特徴として構成される。
【００２５】
また、第１３の発明の携帯電話機は、第４，第５，第６，第７，第８，第９，第１０，第１１又は第１２の発明第３の発明の携帯電話機において、前記電池の残量のレベルを示すメッセージを予め設定しておくための操作手段を備えることを特徴として構成される。
【００２６】
また、第１４の発明の携帯電話機は、内蔵する各部を制御する制御手段を備えた携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備え、前記電池残量測定手段は前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第４の手順、
（Ｅ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第５の手順、
を実行することを特徴として構成される。
【００２７】
また、第１５の発明の携帯電話機は、内蔵する各部を制御する制御手段を備えた携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを備え、前記電池残量測定手段は前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量を制御手段へ通知する設定になっているか否かを判定し、前記電池の残量を制御手段へ通知する設定になっている場合、さらに前記電池の残量が制御手段へ通知すべきレベルまで低下しているか否かを判定し、前記電池の残量が制御手段へ通知すべきレベルまで低下している場合、前記電池の残量を制御手段へ通知する第４の手順、
（Ｅ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第５の手順、
（Ｆ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第６の手順、
を実行することを特徴として構成される。
【００２８】
また、第１６の発明の携帯電話機は、内蔵する制御手段により低消費電力動作状態への切替え制御が行われる携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを有する表示装置を備え、前記表示装置は前記制御手段により前記低消費電力動作状態への切替え制御が行われる際にも前記制御手段から動作状態を前記低消費電力動作状態に制御されることがなく、かつ前記電池残量測定手段は前記低消費電力動作状態の状態にある前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第４の手順、
（Ｅ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第５の手順、
を実行することを特徴として構成される。
【００２９】
また、第１７の発明の携帯電話機は、内蔵する制御手段により低消費電力動作状態への切替え制御が行われる携帯電話機において、電池の残量を表示するための表示手段と、前記電池の残量を測定する電池残量測定手段と、前記電池残量測定手段が測定した前記電池の残量を示す情報を表示情報として記憶する表示情報記憶手段と、前記電池の残量を示す情報を前記表示情報記憶部から読み出して前記表示手段に表示する表示制御手段とを有する表示装置を備え、前記表示装置は前記制御手段により前記低消費電力動作状態への切替え制御が行われる際にも前記制御手段から動作状態を前記低消費電力動作状態に制御されることがなく、かつ前記電池残量測定手段は前記低消費電力動作状態の状態にある前記制御手段から制御を受けずに前記電池の残量の測定を行うように構成され、電源供給を受けた後、
（Ａ）予め設定された時間が経過したとき前記電池残量測定手段が電池の出力電圧を測定する第１の手順、
（Ｂ）測定し取得した前記電池の出力電圧から前記電池残量測定手段が前記電池の残量を判定する第２の手順、
（Ｃ）前記表示制御手段が前記電池の残量情報を前記記憶手段に記憶する第３の手順、
（Ｄ）前記電池の残量を制御手段へ通知する設定になっているか否かを判定し、前記電池の残量を制御手段へ通知する設定になっている場合、さらに前記電池の残量が制御手段へ通知すべきレベルまで低下しているか否かを判定し、前記電池の残量が制御手段へ通知すべきレベルまで低下している場合、前記電池の残量を制御手段へ通知する第４の手順、
（Ｅ）前記電池の残量の測定結果の表示を行う設定になっているか否かを前記表示制御手段が判定し、前記表示を行う設定になっている場合、前記表示制御手段が前記第３の手順で記憶された前記電池の残量情報を読み出して表示し、前記表示を行う設定になっていない場合、前記第１の手順に戻る第５の手順、
（Ｆ）前記電池の残量の測定を継続する設定になっているか否かを前記表示制御手段が判定し、前記電池の残量の測定の測定を継続する設定になっている場合、前記第１の手順に戻り、前記電池の残量の測定の測定を継続する設定になっていない場合、前記電池残量測定手段は前記電池の残量の測定を終了する第６の手順、
を実行することを特徴として構成される。
【００３０】
また、第１８の発明の電子機器は、電池の残量を測定する電池残量測定手段を備え、前記電池残量測定手段は前記制御手段から制御を受けずに前記電池の残量の測定を行うことを特徴として構成される。
【００３１】
また、第１９の発明の電子機器は、内蔵する制御手段により低消費電力動作状態への切替え制御が行われる電子機器において、電池の残量を測定する電池残量測定手段を備え、前記低消費電力動作状態であっても前記電池残量測定手段は前記低消費電力動作状態の状態にある前記制御手段から制御を受けずに前記電池の残量の測定を行うことを特徴として構成される。
【発明の効果】
【００３２】
以上説明したように、本発明の携帯電話機は、電池残量測定手段が制御部からの制御を受けることなく電池残量を測定でき、このため制御部の消費電力が発生することがなく低消費電力化を図ることができるという効果を有している。
【発明を実施するための最良の形態】
【００３３】
本発明による携帯電話機は、制御部から独立して電池残量を測定できる電池残量測定手段を備えることにより、制御部からの制御を受けることなく電池残量を測定でき、このため制御部の消費電力が発生することがなく低消費電力化を図ることができる。
【００３４】
また、制御部により低消費電力動作状態への切替え制御が行われたときでも、低消費電力動作状態にある制御手段から制御を受けずに電池残量測定手段は前記電池残量の測定を行うことができる。この場合、制御部が低消費電力動作状態から通常の動作状態に復帰したとしたら制御部に発生するであろう消費電力を節減でき低消費電力化を図ることができる。
【００３５】
また、表示装置が、電池残量測定手段、表示手段、記憶手段、及びこれらの各手段を制御する表示制御手段を備えることにより、制御部からの制御を受けることなく電池残量の測定及び表示を行うことができ低消費電力化を図ることができる。
【実施例１】
【００３６】
次に、本発明の第１の実施例について、図面を参照して説明する。
【００３７】
図１は、本発明の第１の実施例における携帯電話機の構成を示すブロック図である。
【００３８】
図１の携帯電話機の主要部としては、電源部１０、無線部２、表示装置１１ａ、及び各部を制御する制御部１ａを備える。
【００３９】
電源部１０は、電池９から供給される電力を受けて上記各部に必要な電源を供給する。無線部２には無線信号の送受信に使用されるアンテナ３が接続されている。
【００４０】
また、制御部１ａには上記無線部２及び表示装置１１ａの他に、ユーザの音声を相手側に伝える送話部４、相手側の音声をユーザに伝える受話部５が接続される。さらに、制御部１ａには音楽や報知音をユーザに知らせるスピーカー６、携帯電話機の発着信の操作、各種情報の設定のための操作、及び各種機能選択のための操作等を行う操作手段を有する操作部７が接続される。
【００４１】
なお、図１の携帯電話機は、操作部７には、後述する予め設定された時間を設定入力するための操作手段（図示せず）、及び電池残量を、後述する表示部１２に表示するか否かを示す残量表示有無設定情報を予め設定しておくための操作手段（図示せず）を備えている。また、操作部７には、後述する電池残量のレベルを示すメッセージを予め設定しておくための操作手段を備えている。さらに、操作部７は、ユーザが電池残量を知りたいときに、ユーザによる操作部７からの操作入力で後述する電池残量測定部１５ａに電池残量を測定させるための操作手段（図示せず）を備えている。
【００４２】
また、制御部１ａには携帯電話機の状態や各種情報を記憶する記憶装置８が接続される。そして、制御部１ａは制御部１ａと接続される上記各部との間で各種情報の送信受信を行う。また、制御部１ａは待ち受け状態で、携帯電話機が内蔵する各部に対して低消費電力動作状態への切替え制御を行うとともに、自分自身をも低消費電力動作状態へ切替える。
【００４３】
表示装置１１ａは、各種情報を表示する表示部１２、表示部１２を制御する表示制御部（表示制御手段）１３ａ、表示部１２へ表示する電池残量測定に関する情報等を表示情報として記憶する表示情報記憶部（表示情報記憶手段）１４ａを備える。さらに、表示装置１１ａは、電池９の出力電圧を測定する電池残量測定部（電池残量測定手段）１５ａを備えて構成される。そして、表示装置１１ａは制御手段による前記低消費電力動作状態への切替え制御の対象とはならない。
【００４４】
また、電池残量測定部１５ａは、測定した電池９の出力電圧から電池残量を求めるために参照する出力電圧・残量変換テーブル（図示せず）を内蔵している。この出力電圧・残量変換テーブルは、測定された電池９の出力電圧の値から、出力電圧測定時の電池９の残量を求めることができるように構成されている。
【００４５】
なお、図１に示す携帯電話機の主要部である無線部２の構成については、周知技術であり、また本発明とは直接関係しないのでその構成の詳細説明については省略する。
【００４６】
次に、図１に示す第１の実施例における携帯電話機の動作について、図２及び図３を参照して説明する。
【００４７】
図２は図１に示す携帯電話機の電圧測定時の各部の動作状態を示す説明図である。また、図３は図１に示す携帯電話機の表示装置１１ａの動作の流れを示すフローチャートである。
【００４８】
携帯電話機に電池９が装着されると、無線部２、制御部１ａ及び表示装置１１ａに電源部１０から電源が供給される。表示装置１１ａに電源が供給されると、表示装置１１ａの表示部１２、表示制御部１３ａ、表示情報記憶部１４ａ及び電池残量測定部１５ａ等はそれぞれ起動する。
【００４９】
電池残量測定部１５ａは起動後、図２に示すように、制御部１ａの制御を受けずに、電池残量測定を開始する。図２は電池残量測定部１５ａが起動後、予め設定された時間Ｔの間隔で電池残量測定を行う場合の各部の動作状態を示している。
【００５０】
電池残量測定部１５ａによる電池残量測定は、予め設定された時間ｔ（電池残量測定部１５ａの動作がＯＮの状態）の間に行われる。この時間ｔの間に、電池残量測定部１５ａは、最初に電池９の出力電圧を測定し、次に内蔵する出力電圧・残量変換テーブルを参照して、測定された出力電圧に該当する電池９の残量のレベルを判定する。なお、電池残量測定部１５ａは上記時間Ｔ及び時間ｔを得るためのタイマー（図示せず）を備えている。また、電池残量測定部１５ａは、電源部１０を介して電池９の出力端と図示しない電源回路で接続されており、電池残量測定部１５ａは電池９の出力電圧を直接測定する。
【００５１】
上記のように、電池残量測定部１５ａは残量の測定動作のための、制御部１ａからの制御を受けることなく、電池９の残量測定を直接行うことができる。このため、電池残量測定部１５ａの残量の測定動作時に制御部１ａは動作せずに済み、携帯電話機は制御部１ａの消費電力を節減することができる。
【００５２】
特に、携帯電話機が待ち受け状態で制御部１ａも低消費電力動作状態に切替って低消費電力動作状態にあるとき、携帯電話機は電池９の残量の測定時に制御部１ａの動作を通常の動作状態に復帰させる必要がないため、省電力化を図ることができる。
【００５３】
次に、図３を参照して動作をさらに詳細に説明する。
【００５４】
図３を参照して、電池残量測定部１５ａによる電池残量測定のタイミングを説明する。このタイミングは、必ずしも一定の時間Ｔの間隔で繰り返し行われるのではなく、予め設定された条件に応じて電池残量測定のタイミングが変わる。この場合の動作について説明する。
【００５５】
携帯電話機に電池９が装着されると、電池９から電源部１０を介して各部に必要な電源の供給が開始される。電源の供給を受けた表示装置１１ａの電池残量測定部１５ａ及び表示制御部１３ａ等が起動する（ステップ１：図３ではステップをＳと表記、後述の図６，７も同様）。電池残量測定部１５ａは起動すると、上記タイマーが作動し、予め設定された時間Ｔが経過したか否かをタイマーによってチェックする。そして、時間Ｔが経過したとき、電池９の残量を求めるために必要な電池９の出力電圧を測定する（ステップ２）。さらに、電池残量測定部１５ａは、内蔵している出力電圧・残量変換テーブルを参照して、上記の測定された出力電圧に該当する電池残量のレベルを判定する（ステップ３）。電池残量測定部１５ａは求めた電池９の電池残量情報を表示制御部１３ａに通知し、表示制御部１３ａは通知された電池９の残量情報を、電池残量を示す表示情報として表示情報記憶部１４ａに記憶する（ステップ４）。
【００５６】
次に、表示制御部１３ａは表示情報記憶部１４ａに記憶されている、電池残量情報を表示部１２に表示するか否かを示す残量表示要否設定情報についての、予め設定された設定内容を参照する（ステップ５）。参照の結果、残量測定の結果を表示部１２に表示するように前記設定内容が予め設定されているときは、表示制御部１３ａは残量測定の結果を表示情報記憶部１４ａから読み出して表示部１２に表示する。なお、このとき表示部１２に表示される、上記残量測定の結果としては、ユーザに対する電池９の残量のレベルを示すメッセージが表示される。例えば、「電池残量が少なくなりました」あるいは、「電池残量が大変少なくなりました」というメッセージが表示される。上記メッセージは、電池９の残量の程度が数段階のレベルに区分されて設定され、設定された各レベルに対してそのレベルに相応しい表現が割り振られたものである。表示装置１１ａの表示部１２には表示制御部１３ａにより上記のようなメッセージの表示が行われ、電池残量についての警告がユーザに通知される。なお、上記メッセージの際に、それまで表示されていた以前のメッセージは新たに得られた電池残量情報に該当するメッセージにより更新される（ステップ６）。
【００５７】
次に、表示制御部１３ａは、表示情報記憶部１４ａに記憶されている、電池９の残量測定の継続の有無を示す測定継続要否設定情報の設定内容を参照する（ステップ７）。上記設定内容の参照の結果、測定を継続して行うように設定されている場合には、表示装置１１ａの動作はステップ２に戻り、表示制御部１３ａは、電池残量測定部１５ａに測定の継続の指示を通知する。電池残量測定部１５ａは測定継続の前記通知を受けると、それから時間Ｔが経過したときに電池９の残量の測定を再度繰り返す。
【００５８】
また、上記ステップ７における上記設定内容の参照の結果、測定を再度行うように設定されていない場合には、表示制御部１３ａは電池残量測定部１５ａに対して測定の終了を指示する。そして、電池残量測定部１５ａによる電池９の残量の測定動作が終了する。
【００５９】
また、上記ステップ５で、測定の結果を表示するように設定されていないときは、表示制御部１３ａによる測定結果の表示部１２への表示は行われず、表示装置１１ａの動作はステップ２に戻る。動作がステップ２に戻った表示制御部１３ａは、電池残量測定部１５ａに測定継続の指示を通知する。そして、測定継続の指示通知を受けた電池残量測定部１５ａは、それから時間Ｔが経過したときに電池９の残量の測定を再度繰り返す。
【００６０】
上記第1の実施例の携帯電話機によれば、電池残量測定部を表示装置に内蔵したことにより、電池残量測定部１５ａは制御部１ａの制御を受けずに電池残量の測定を行うことができる。また、携帯電話機は、電池残量測定時に制御部１ａの負荷を減らすことができ、制御部の負荷が減った分、省電力化を促進することができる。また、携帯電話機は電池残量測定部１５ａを表示装置１１ａに内蔵したことにより、測定し取得した電池残量情報の表示を表示装置１１ａのみで行うことができる。また、携帯電話機は電池残量測定部１５ａが測定した、電池９の残量のレベルに応じたメッセージ情報を表示情報記憶部１４ａに予め設定しておくことができる。このメッセージ情報により、本発明の携帯電話機は低消費電力化を図りながらユーザに分かり易い電池残量情報を表示部１２に表示することができる。また、測定された電池残量情報を表示するか否かを示す設定情報を表示情報記憶部１４ａに予め設定できるので、表示の必要に応じて表示させるか否かを予め選択して設定できる。さらに、本発明の携帯電話機は電池残量の測定を継続するか否かを示す設定情報を表示情報記憶部１４ａに予め設定できるので、必要に応じて電池残量の測定を継続するか否かのいずれかを予め選択し設定できる。
【００６１】
以上で第１の実施例の説明を終了する。
【実施例２】
【００６２】
次に、本発明の第２の実施例について、図面を参照して説明する。
【００６３】
図４は、第２の実施例における携帯電話機の構成を示すブロック図である。
【００６４】
第２の実施例は、第１の実施例と比較すると表示情報記憶部の構成が第１の実施例の場合と異なる。すなわち、第２の実施例の場合の表示情報記憶部としては、対制御部通知条件設定部１６を内蔵した表示情報記憶部１４ｂが用いられている点で異なる。このため、表示情報記憶部１４ｂを制御する表示制御部１３ｂが用いられている点も異なる。
【００６５】
また、表示情報記憶部１４ｂは、測定により得られた電池９の残量レベルが少なくとも別に設定されるレベルである通知残量レベルまで低下したとき、そのレベルを制御部に通知すべきか否かを示す設定情報である残量レベル通知有無設定情報を設定できるように構成されている。さらに表示情報記憶部１４ｂは、上記の通知残量レベルを示す通知残量レベル設定情報を設定できるように構成されている。
【００６６】
図４におけるその他の構成は図１と同様であるのでここではその説明を省略する。
【００６７】
次に、図４に示す第２の実施例における携帯電話機の動作について、図５、図６及び図７を参照して説明する。
【００６８】
図５は、図４に示す携帯電話機の電圧測定時の各部の動作状態を示す説明図である。また、図６は、図７と共に図４に示す携帯電話機の表示装置１１ｂの動作を示すフローチャートである。なお、図５は、図２の場合と同様に、電池残量測定部１５ａが起動後、予め設定された時間Ｔの間隔で電池残量測定を行う場合の各部の動作状態を示している。
【００６９】
次に、表示装置１１ｂの動作を説明する。
【００７０】
ステップ１１からステップ１４の動作は図３のステップ１からステップ４までの動作と同様なので、ここでは説明を省略する。
【００７１】
表示制御部１３ｂは、ステップ１４で電池残量情報を表示情報記憶部１４ｂへ記憶させた後、対制御部通知条件設定部１６に設定されている残量レベル通知要否設定情報を参照する。表示制御部１３ｂは残量レベル通知要否設定情報の参照により、設定内容が電池残量を制御部ｂへ通知することを示しているか否かを調べる（ステップ１５）。設定内容が電池残量を制御部へ通知することを示しているときは、表示制御部１３ｂは、さらに、対制御部通知条件設定部１６に設定されている通知残量レベル設定情報を参照する。表示制御部１３ｂは通知残量レベル設定情報を参照し、測定された電池残量のレベルが通知残量レベル設定情報の示す、制御部１ｂへ通知すべきレベルまで低下しているか否か判定する（ステップ１６）。表示制御部１３ｂは、測定された電池残量のレベルが少なくとも通知残量レベル設定情報の示すレベルまで低下しているときは、測定された電池残量のレベルを制御部１ｂへ通知する。ここで表示装置１１ｂは制御部１ｂへ電池９の残量状態を通知するため、このときは制御部１ｂは通常の動作状態に復帰し、電池９の残量状態の情報を取得したのち再び低消費電力動作状態に戻る（ステップ１７）。
【００７２】
表示装置１１ｂは、表示制御部１３ｂにより電池残量のレベルを制御部１ｂへ通知すると、表示装置１１ｂの動作は、ステップ１８へ進む。
【００７３】
また、ステップ１５で、設定内容が電池残量を制御部へ通知する設定になっていないときも、表示装置１１ｂの動作は、ステップ１８へ進む。また、ステップ１６で、測定された電池残量のレベルが少なくとも通知残量レベル設定情報の示すレベルまで低下していないときも、表示装置１１ｂの動作は、図７に示すステップ１８へ進む。
【００７４】
図７に示すステップ１８からステップ２０までの動作は図３のステップ５からステップ７までの動作と同様なので、ここでは説明を省略する。
【００７５】
以上で図６及び図７に示すフローチャートを参照しての表示装置の動作の流れの説明を終了する。
【００７６】
上記のように、第２の実施例においては、対制御部通知条件設定部１６に残量レベル通知要否情報及び通知残量レベル設定情報を設定することにより、第１の実施例による効果に加え、さらに以下に記載するような効果を有する。
【００７７】
第２の実施例の携帯電話機の場合は、上記のように、表示装置１１ｂが、制御部１ｂへの通知が必要と判断した場合は、表示装置１１ｂは制御部１ｂへ電池９の残量情報を通知することになり、制御部１ｂは最低限の動作で電池９の状態を把握できる。また、表示装置１１ｂが制御部１ｂへの通知が必要と判断しなかった場合は、制御部１ｂが低消費電力動作状態を維持できるので、携帯電話機としては低消費電力化を図ることができる。
【００７８】
なお、上記のように、表示装置１１ｂの表示制御部１３ｂが制御部１ｂへ電池９の残量の状態を通知すると、図５に示すように、この通知を受け取るために、それまで低消費電力動作状態にあった制御部１ｂは通常の動作状態に復帰する。そして、制御部１ｂは、電池９の残量の状態についての情報を取得したのち再度低消費電力動作状態に復帰することになる。
【００７９】
また、制御部１ｂは、取得した電池９の残量の状態についての情報を次の測定で得られた情報で更新されるまで保持する。そして、制御部１ｂは、携帯電話機の使用状態の変化に応じて携帯電話機の動作状態を低消費電力動作状態に移行する必要があるか否かを判定する際に、保持している上記残量情報を参照することができる。
【００８０】
なお、上記ステップ１５で制御部１ｂへ通知する設定になっていない場合でも、予め設定した特定のレベルまで残量が低下したときは、特例として通知するような構成にしてもよい。
【００８１】
上記の第２の実施例の動作説明では、対制御部通知条件設定部１６に設定する通知残量レベル設定情報としては一つのレベルを設定する場合で説明したが、複数のレベルを設定するようにすることもできる。複数のレベルを設定することで、測定された残量が、複数のレベルが示す所定の範囲内のときに、制御部１ｂに測定したそのときの残量情報を通知するように設定することも可能である。
【００８２】
以上で第２の実施例の説明を終了する。
【実施例３】
【００８３】
次に、本発明の第３の実施例について、図面を参照して説明する。
【００８４】
図１に示す携帯電話機が図３に示すステップ７を経て動作を終了した状態にあるときにユーザが電池残量を測定する場合について説明する。
【００８５】
電池残量を知りたいユーザにより、操作部７の、電池残量測定部１５ａに電池残量を測定させるための操作手段（図示せず）が操作されると、前記操作手段が操作されたことを認識した制御部１ａから表示制御部１３ａに電池残量を測定の指示が出力される。この指示を受けた表示制御部１３ａが、電池残量測定部１５ａに対して測定を指示する。
【００８６】
測定を指示された電池残量測定部１５ａは、直ちに電池残量を測定し、測定した電池残量を表示制御部１３ａに出力する。表示制御部１３ａは測定した電池残量を表示情報記憶部１４ａへ記憶させるとともに、測定された電池残量を表示部１２に表示させる。この後、制御部１ａが上記電池残量の測定前に省電力の動作状態にあって、なおかつ携帯電話機の省電力動作状態が継続している場合は、制御部１ａの動作状態は省電力動作状態に戻る。
【００８７】
以上のような動作で、ユーザが電池残量の測定を希望したときにいつでも、携帯電話機に電池残量の測定を行わせることができる。
【００８８】
なお、図４に示す携帯電話機が図７に示すステップ２０を経て動作を終了した状態にあるときにユーザが電池残量を測定する場合についても、上記に述べた図１に示す携帯電話機の場合と同様であるので、説明は省略する。
【００８９】
以上で第３の実施例の説明を終了する。
【００９０】
なお、第１の実施例及び第２の実施例における共通の補足説明を下記に行う。
【００９１】
上記説明では、電池残量測定部１５ａが予め設定された時間Ｔの間隔で電池残量測定を行う場合の動作について説明したが、例えば１時間毎あるいは２時間毎というように時間Ｔをユーザが設定変更できるようにしてもよい。また、一定の時間間隔で行うのではなく、電池残量のレベルに応じて測定の時間間隔Ｔの設定値をユーザが設定変更できるようにしてもよい。
【００９２】
さらにまた、上記の説明では、電池残量測定部が取得した電池残量情報は表示制御部を介して表示情報記憶部に記憶されるように説明しているが、電池残量測定部１５ａによって直接表示情報記憶部に記憶するようにしてもよい。
【００９３】
なお、ここに述べた本発明は、携帯電話機における電池残量の測定に関するものであるが、携帯電話機に限らず、電池から電力を供給されて動作する様々な電子機器に適用してもよい。
【図面の簡単な説明】
【００９４】
【図１】本発明の第１の実施例における携帯電話機の構成を示すブロック図である。
【図２】図１に示す携帯電話機の電池残量測定時の各部の動作状態を示す説明図である。
【図３】図１に示す携帯電話機の表示装置の動作の流れを示すフローチャートである。
【図４】本発明の第２の実施例における携帯電話機の構成を示すブロック図である。
【図５】図４に示す携帯電話機の電池残量測定時の各部の動作状態を示す説明図である。
【図６】図７と共に図４に示す携帯電話機の表示装置の動作の流れを示すフローチャートである。
【図７】図６と共に図４に示す携帯電話機の表示装置の動作の流れを示すフローチャートである。
【図８】従来の携帯電話機の構成を示すブロック図である。
【図９】従来の携帯電話機の電池残量測定時の各部の動作状態を示す説明図である。
【符号の説明】
【００９５】
１ａ〜１ｃ    制御部
２    無線部
３    アンテナ
４    送話部
５    受話部
６    スピーカー
７    操作部
８    記憶装置
９    電池
１０    電源部
１１ａ〜１１ｃ    表示装置
１２    表示部
１３ａ〜１３ｃ    表示制御部
１４ａ，１４ｂ    表示情報記憶部
１５ａ，１５ｂ    電池残量測定部
１６    対制御部通知条件設定部
【図１】
2005244492.tif 000003
【図２】
2005244492.tif 000004
【図３】
2005244492.tif 000005
【図４】
2005244492.tif 000006
【図５】
2005244492.tif 000007
【図６】
2005244492.tif 000008
【図７】
2005244492.tif 000009
【図８】
2005244492.tif 000010
【図９】
2005244492.tif 000011